(57)【要約】【課題】受け付けた文字及び映像が重なることなく、表示される映像内容を確認しながらメモ取りができるようにして、紙媒体のメモ帳の代替手段となりうるようにした映像表示装置及びテレビジョン受信機を提供する。【解決手段】文字情報を受け付ける受付手段を備える映像表示装置は、表示画面に映像を表示する映像表示領域と、受け付けた文字を表示する文字表示領域とを隣接した表示状態で表示し、受け付けた映像を表示する映像表示領域の表示サイズから文字を表示する文字表示領域の表示サイズを決定し（Ｓ１０２）、映像表示領域と隣接する文字表示領域の合計表示サイズが表示画面に対する所定の表示サイズより小さいと判断した場合（Ｓ１０５でＹＥＳ）、表示画面の水平方向又は垂直方向に生じた余白領域に仮想キーが配列された仮想キーを表示する（Ｓ１０８）。【選択図】図４
2008107489.tif 000002
【特許請求の範囲】
【請求項１】
表示画面に映像を表示する映像表示装置において、
文字情報を受け付ける受付手段と、
前記表示画面に映像を表示する映像表示領域及び受け付けた文字を表示する文字表示領域を隣接させて表示する手段と
を備えることを特徴とする映像表示装置。
【請求項２】
前記表示画面に対する所定の表示サイズを記憶する手段と、
前記映像表示領域の表示サイズを受け付ける手段と、
受け付けた映像表示領域の表示サイズに基づき前記文字表示領域の表示サイズを決定する手段と、
前記映像表示領域及び文字表示領域の合計表示サイズと前記所定の表示サイズとを比較する比較手段と、
該比較手段の結果、前記合計表示サイズが前記所定の表示サイズより小さい場合、前記表示画面の水平方向又は垂直方向に生じた余白領域に仮想キーを表示する手段と、
表示した仮想キーを選択する選択手段と
を備え、
前記受付手段は、選択手段が選択した前記仮想キーに対応する文字情報を受け付けるようにしてあることを特徴とする請求項１に記載の映像表示装置。
【請求項３】
前記比較手段の結果、前記合計表示サイズが前記所定の表示サイズより小さい場合、前記表示画面における前記映像表示領域及び文字表示領域の表示位置を指定する手段を備えることを特徴とする請求項２に記載の映像表示装置。
【請求項４】
前記表示画面に接触箇所を検出するタッチパネルが設けられ、
前記選択手段は、前記タッチパネルで検出された接触箇所に表示された仮想キーを選択するようにしてあることを特徴とする請求項２又は３に記載の映像表示装置。
【請求項５】
請求項１乃至４のいずれかに記載の映像表示装置と、
テレビジョン信号を受け付ける手段と
を備え、
受け付けたテレビジョン信号から映像を生成し、生成した映像を前記映像表示装置の映像表示領域に表示するようにしてあることを特徴とするテレビジョン受信機。
【発明の詳細な説明】
【技術分野】
【０００１】
本発明は、表示画面を映像表示領域及び外部から受け付けた文字を表示する文字表示領域に分けて表示することができる映像表示装置及び当該装置を備えるテレビジョン受信機に関する。
【背景技術】
【０００２】
従来、テレビジョン受信機で視聴しているコンテンツについてメモをとる必要が生じた場合、テレビジョン受信機が専用の入力装置を介して文字情報を受け付け、受け付けた文字を記憶することで紙媒体のメモ帳の代替ができるものが提案されている（例えば、特許文献１）。
【０００３】
また、テレビジョン受信機による文字情報の受け付けにおいて、専用の入力装置を用いることなく、テレビジョン受信機の表示画面に仮想キーを表示し、表示した仮想キーを介して文字情報を受け付けるものが提案されている（例えば、特許文献２）。
【特許文献１】実開平３−２８８７８号公報
【特許文献２】特開平４−３７２７１号公報
【０００４】
これらは、手元に紙媒体のメモ帳が無い場合でも、テレビジョン受信機で視聴中のコンテンツについて、迅速にメモ取りができる点で紙媒体のメモ帳の代替手段として市場から要望されていた。
【発明の開示】
【発明が解決しようとする課題】
【０００５】
しかしながら、特許文献１に記載のテレビジョン受信機にあっては、文字情報の入力のために専用装置が別途必要となり、また、受け付けた文字が映像に重なって表示されるので、表示される映像内容を確認しながらメモを取り難く、紙媒体のメモ帳に比し利便性がないので代替手段として市場の要望に応じうるものではなかった。
【０００６】
更に、特許文献２に記載のテレビジョン受信機にあっても、文字情報入力の際、テレビジョン受信機の表示画面を映像画面から仮想キーの表示に切り換える必要があるので、表示される映像内容を確認しながらメモを取り難く、紙媒体のメモ帳に比し利便性がないので代替手段として市場の要望に応じうるものではなかった。
【０００７】
尚、テレビジョン受信機においては、表示画面の表示サイズ規格（例えば、解像度又はアスペクト比）が多数存在するため、例えばアスペクト比が４対３の表示画面を有するテレビジョン受信機に１６対９の表示サイズに設定された映像を表示した場合に映像表示領域の上下方向に余白領域（レターボックス）が発生するが、これを有効に利用することも市場から要望されていた。
【０００８】
本発明はかかる事情に鑑みてなされたものであり、その目的とするところは、文字情報を受け付ける受付手段を備える映像表示装置が、表示画面に映像を表示する映像表示領域と、受け付けた文字を表示する文字表示領域とを隣接した表示状態で表示するように構成してあることにより、受け付けた文字及び映像が重なることなく、表示される映像内容を確認しながらメモ取りができるようにして、紙媒体のメモ帳の代替手段となりうるようにした映像表示装置及びテレビジョン受信機を提供することにある。
【０００９】
また、本発明の他の目的は、受け付けた映像を表示する映像表示領域の表示サイズから、文字を表示する文字表示領域を決定し、映像表示領域と隣接する文字表示領域の合計表示サイズが表示画面に対する所定の表示サイズより小さい場合、表示画面の水平方向又は垂直方向に生じた余白領域に、仮想キーが配列された仮想キーを表示するように構成してあることにより、受け付けた文字、映像及び仮想キーが重なることなく、ユーザが表示される映像内容を確認しながら容易にメモ取りができるようにして、紙媒体のメモ帳の代替手段となりうる映像表示装置及びテレビジョン受信機を提供することにある。
【課題を解決するための手段】
【００１０】
上記課題を解決するために本発明に係る映像表示装置は、表示画面に映像を表示する映像表示装置において、文字情報を受け付ける受付手段と、前記表示画面に映像を表示する映像表示領域及び受け付けた文字を表示する文字表示領域を隣接させて表示する手段とを備えることを特徴とする。
【００１１】
また、本発明に係る映像表示装置は、前記表示画面に対する所定の表示サイズを記憶する手段と、前記映像表示領域の表示サイズを受け付ける手段と、受け付けた映像表示領域の表示サイズに基づき前記文字表示領域の表示サイズを決定する手段と、前記映像表示領域及び文字表示領域の合計表示サイズと前記所定の表示サイズとを比較する比較手段と、該比較手段の結果、前記合計表示サイズが前記所定の表示サイズより小さい場合、前記表示画面の水平方向又は垂直方向に生じた余白領域に仮想キーを表示する手段と、表示した仮想キーを選択する選択手段とを備え、前記受付手段は、選択手段が選択した前記仮想キーに対応する文字情報を受け付けるようにしてあることを特徴とする。
【００１２】
また、本発明に係る映像表示装置は、前記比較手段の結果、前記合計表示サイズが前記所定の表示サイズより小さい場合、前記表示画面における前記映像表示領域及び文字表示領域の表示位置を指定する手段を備えることを特徴とする。
【００１３】
また、本発明に係る映像表示装置は、前記表示画面に接触箇所を検出するタッチパネルが設けられ、前記選択手段は、前記タッチパネルで検出された接触箇所に表示された仮想キーを選択するようにしてあることを特徴とする。
【００１４】
また、本発明に係るテレビジョン受信機は、本発明に係る映像表示装置と、テレビジョン信号を受け付ける手段とを備え、受け付けたテレビジョン信号から映像を生成し、生成した映像を前記映像表示装置の映像表示領域に表示するようにしてあることを特徴とする。
【００１５】
本発明にあっては、受け付けた文字及び映像が表示画面上で重なることなく、個々独立して同時に表示されるので、ユーザが表示された映像を確認しながらメモ取りができ、利便性が損なわれることなく紙媒体のメモ帳の代替手段として利用できる。また、本発明にあっては、専用の入力装置を用いることなく、既存のリモートコントロール装置で操作できる仮想キーを用いるのでハードウェア構成を簡単にできる。また、本願発明にあっては、該仮想キー、受け付け文字及び映像が表示画面上で重なることなく、個々独立して同時に表示されるので、ユーザが表示された映像を確認しながら容易にメモ取りができ、利便性が損なわれることなく紙媒体のメモ帳の代替手段として利用できる。また、本願発明にあっては、レターボックス等の余白領域を仮想キーの表示領域に利用するので、画面切換をすることなく一つの表示画面に多くの情報を表示することができる。
【発明の効果】
【００１６】
本発明にあっては、ユーザが表示された映像を確認しながらメモ取りができるので、利便性が損なわれることなく紙媒体のメモ帳の代替手段として利用することができる。また、本発明にあっては、専用の入力装置を必要せずハードウェア構成を簡単にできるので、製造コストを抑制することができる。また、本発明にあっては、画面切換をすることなくひとつの表示画面で多くの情報を表示できるので、複数の表示画面を準備する必要がなく、コストを抑制することができる。
【発明を実施するための最良の形態】
【００１７】
以下、本発明に係る映像表示装置及びテレビジョン受信機について、実施の形態を示す図面に基づいて説明する。図１は本発明に係る映像表示装置の構成を示す模式図である。
【００１８】
図１中、１は映像表示装置であり、映像表示装置１は、映像処理部１０と、音声処理部１１と、操作部１２と、ＲＯＭ１３と、ＲＡＭ１４と、制御部１５と、表示部１６と、これらを結ぶ通信線１７とから構成される。尚、テレビジョン受信機は、映像表示装置１にチューナ２又は外部記憶装置３が追加された構成である（図１参照）。
【００１９】
チューナ２は、放送局から受信されたテレビジョン電波をアンテナ２ａを介して受信し、受信したテレビジョン電波を選局し、選局したテレビジョン電波から映像信号、音声信号及び映像表示領域の表示サイズの情報を抽出し、抽出した信号を夫々、映像表示装置１の映像処理部１０及び音声処理部１１へ送り、前記表示サイズの情報を制御部１５へ送る。
【００２０】
外部記憶装置３は、アニメーション又はホームドラマなどのコンテンツが記録された、ＤＶＤなどの可搬式記録媒体３ａから、映像信号、音声信号及び映像表示領域の表示サイズの情報を読出し、読み出した信号を夫々、映像表示装置１の映像処理部１０及び音声処理部１１へ送り、前記表示サイズの情報を制御部１５へ送る。
【００２１】
映像処理部１０は、チューナ２又は外部記憶装置３から送られた映像信号を受け付け、受け付けた映像信号をＲＧＢ信号に変換して制御部１５へ送る。
【００２２】
音声処理部１１は、チューナ２又は外部記憶装置３から送られた音声信号を受け付け、受け付けた音声信号に基づいてスピーカ４を振動させ、音声を出力する。
【００２３】
操作部１２は、文字情報、選択情報、表示領域の表示位置、表示領域の表示サイズ及び文字情報入力要求及び文字情報入力要求の解除などを受け付けてＲＡＭ１４、制御部１５へ送る。操作部１２への入力は、操作部１２に設置された操作ボタンを押圧する際に生じる電気信号を受け付ける場合に限らず、表示部１６の表面に設置されたタッチパネル１２ａを加圧する際に生じる電気信号、又は、リモートコントロール装置５から発せられた光信号を受信することにより行う。
【００２４】
ＲＯＭ１３は、表示部１６の表示画面の表示サイズ、仮想キーの表示用プログラム、文字コード、映像表示装置１を制御するための各種プログラムが格納され、必要に応じて読み出される。
【００２５】
ＲＡＭ１４は、ＳＲＡＭ又はフラッシュメモリ等で構成されており、文字情報を受け付けて記憶し、必要に応じて読み出される。
【００２６】
制御部１５は、操作部１２から文字情報入力要求があった場合、チューナ２又は外部記憶装置３から送られた映像表示領域の表示サイズを受け付け、受け付けた映像表示領域の表示サイズに基づいて文字表示領域の表示サイズを決定し、受け付けた映像表示領域と決定した文字表示領域との合計表示サイズを算出する。また、文字表示すべき文字表示領域が映像表示領域に隣接した表示状態になるように表示領域の四隅の座標を夫々算出する。
【００２７】
具体的には、制御部１５は、表示部１６の表示画面の表示サイズをＲＯＭ１３から読み出し、読み出した表示画面の表示サイズと算出した合計表示サイズとを比較し、比較の結果、合計表示サイズが表示画面の表示サイズより大きい場合は合計表示サイズが表示画面の表示サイズに合うように縮小し、縮小した合計表示サイズに基づいて文字表示領域が映像表示領域に隣接した表示状態になるように座標を算出する。一方、合計表示サイズが表示画面の表示サイズより小さい場合は表示画面の水平方向又は垂直方向に生じた余白領域を検出し、検出した余白領域、映像表示領域及び文字表示領域の四隅の座標を算出する。尚、制御部１５は、操作部１２から送られた映像表示領域及び文字表示領域の表示位置を受け付けた場合、受け付けた表示位置に応じた座標を算出する。
【００２８】
制御部１５は、映像処理部１０から送られたＲＧＢ信号が映像表示領域の座標に収まるように調整した制御信号を表示部１６に送る。また、制御部１５は、操作部１２から送られた文字情報に対応する文字コードをＲＯＭ１３から読み出し、読み出した文字コードが示す文字が文字表示領域の座標に収まるように調整した制御信号を表示部１６に送る。また、制御部１５は、ＲＯＭ１３から読み出した表示用プログラムによる仮想キーが余白領域の座標に収まるように調整した制御信号を表示部１６に送る。更に、制御部１５は、操作部１２から送られた選択情報に従って仮想キーを反転表示させ、反転表示の仮想キーにより入力される文字情報に対応する文字コードをＲＯＭ１３から読み出し、読み出した文字コードが示す文字が文字表示領域の座標に収まるように調整した制御信号を表示部１６に送る。
【００２９】
表示部１６は、映像表示領域又は文字表示領域などが構成される表示画面を有し、ブラウン管方式又は液晶方式により像を出力する。表示部１６は、制御部１５から送られた制御信号に従って各画素を発色させて像を出力する。また、表示部１６の表示画面には、操作部１２に電気信号を送るタッチパネルが設置されている。
【００３０】
次に、表示部１６の表示画面に表示される映像表示領域、文字表示領域、余白領域及び仮想キーを説明する。図２及び図３は表示画面の表示例を示す説明図である。
【００３１】
表示部１６の表示画面には、映像を表示するための映像表示領域と、操作部１２を介して受け付けた文字を表示するための文字表示領域が隣接するように配置され、表示される。映像表示領域は、その四隅がチューナ２又は外部記憶装置３から送られた表示サイズの情報に従って算出された座標に従い、文字表示領域は、映像表示領域に隣接し、かつ、表示部１６に収まるようにその四隅の座標が算出され、表示サイズが決定される。尚、実施例では、表示部１６の表示画面に向かって左側に映像表示領域が、右側に文字表示領域が配置されるが、入れ替わってもよい。
【００３２】
また、隣接する映像表示領域と文字表示領域との合計表示サイズが、表示部１６の表示画面の表示サイズより小さい場合、表示画面に生じた余白領域に、例えば、平仮名又は欧文字一文字が割り振られた仮想キーを表示する。尚、平仮名又は欧文字の全てを同時に表示できない場合は表示可能な文字を順次スクロールするようにしてもよい（図２参照）。
【００３３】
また、映像表示領域及び文字表示領域は、表示画面の中段に配置されるに限らず（図２参照）、操作部１２からの受け付けた表示領域の表示位置に従い、表示画面の上段に配置されるようにしてもよい（図３参照）。この場合に生ずる余白領域は、表示画面の下段に集中することで垂直解像度が上がるので、平仮名及び欧文字の仮想キーを二段に並設するか（図３参照）、仮想キーをQWERTY配列した仮想キーボード自体を表示するか、又は、単語毎の仮想キーを次回入力の予想順に配列した特殊なキーボードを表示するようにしてもよい。
【００３４】
次に、本発明に係る映像表示装置１の表示処理の手順について説明する。図４は本発明に係る映像表示装置の処理手順を説明するフローチャートである。
【００３５】
まず、映像表示装置１は、映像処理部１０から受け付けた映像を表示部１６の表示画面に表示しているときに制御部１５が操作部１２から文字情報入力要求を受け付けることにより、映像及び文字の同時表示を行う以下の処理を開始する。
【００３６】
制御部１５は、チューナ２又は外部記憶装置３から送られた映像表示領域の表示サイズを受け付け（Ｓ１０１）、受け付けた映像表示領域の表示サイズに基づいて文字表示領域の表示サイズを決定し（Ｓ１０２）、受け付けた映像表示領域と決定した文字表示領域との合計表示サイズを算出する（Ｓ１０３）。また、制御部１５は、ＲＯＭ１３から表示部１６の表示画面についての所定の表示サイズを読み出し（Ｓ１０４）、算出した合計表示サイズと読み出した所定の表示サイズとを比較して算出した合計表示サイズが読み出した所定の表示サイズより小さいか否かを判断し（Ｓ１０５）、所定のサイズより小さいと判断した場合（Ｓ１０５でＹＥＳ）、表示画面の水平方向又は垂直方向に生じた余白領域を検出し（Ｓ１０６）、検出した余白領域、映像表示領域及び文字表示領域の四隅の座標を算出する（Ｓ１０７）。
【００３７】
制御部１５は、映像処理部１０から受け付けた映像を映像表示領域の座標に収まるように表示部１６に表示させると共に、ＲＯＭ１３から読み出した表示用プログラムによる仮想キーを余白領域の座標に収まるように表示部１６に表示させる（Ｓ１０８）。また、制御部１５は、操作部１２から送られた選択情報により仮想キーが選択されたか否かを判断し（Ｓ１０９）、仮想キーが選択されていないと判断した場合（Ｓ１０９でＮＯ）、選択されるまでステップＳ１０９の判断を繰り返す。
【００３８】
一方、制御部１５は、仮想キーが選択されたと判断した場合（Ｓ１０９でＹＥＳ）、選択情報により選択された仮想キーを反転表示すると共に、この仮想キーにより受け付けた文字情報に対応する文字コードをＲＯＭ１３から読み出し（Ｓ１１０）、読み出した文字コードが示す文字を文字表示領域の座標に収まるように表示部１６に表示させる（Ｓ１１１）。制御部１５は、操作部１２から受け付けた文字情報記憶要求に応じて、受け付けた文字情報をＲＡＭ１４に記憶する（Ｓ１１２）。
【００３９】
そして、映像表示装置１は、制御部１５から文字情報入力解除の要求を受け付けることにより、前記表示処理を終了し、表示部１６の表示画面に映像のみを表示する。
【００４０】
また、映像表示装置１の制御部１５は、ステップＳ１０５で、合計表示サイズが読み出した所定の表示サイズより小さくないと判断した場合（Ｓ１０５でＮＯ）、表示部１６の表示画面に収まるように映像表示領域及び文字表示領域の四隅の座標を算出し（Ｓ１１３）、映像処理部１０から受け付けた映像を映像表示領域の座標に収まるように表示部１６に表示させ、操作部１２を介して文字情報を受け付けたか否かを判断し（Ｓ１１４）、文字情報を受け付けていないと判断した場合（Ｓ１１４でＮＯ）、文字情報を受け付けるまでステップＳ１１４の判断を繰り返す。
【００４１】
一方、制御部１５は、文字情報を受け付けたと判断した場合（Ｓ１１４でＹＥＳ）、文字情報に対応する文字コードをＲＯＭ１３から読み出し（Ｓ１１０）、読み出した文字コードが示す文字を文字表示領域の座標に収まるように表示部１６に表示させる（Ｓ１１１）。制御部１５は、操作部１２から受け付けた文字情報記憶要求に応じて、受け付けた文字情報をＲＡＭ１４に記憶する（Ｓ１１２）。
【００４２】
映像表示装置１は、制御部１５が操作部１２から文字情報入力要求解除を受け付けることにより、表示部１６の表示画面に映像及び文字の同時表示を行う前記処理を終了し、映像のみを表示する。
【００４３】
尚、上述した実施の形態において、映像表示装置を備える装置は、チューナ２又は外部記憶装置３を備えるテレビジョン受信機を例として説明したが、これに限らず、液晶モニタを接続した映像表示機能を有するパーソナルコンピュータ、又は、液晶モニタ及び映像表示機能を有する携帯電話機で実行する場合であってもよい。
【図面の簡単な説明】
【００４４】
【図１】本発明に係る映像表示装置の構成を示す模式図である。
【図２】表示画面の表示例を示す説明図である。
【図３】表示画面の表示例を示す説明図である。
【図４】本発明に係る映像表示装置の処理手順を説明するフローチャートである。
【符号の説明】
【００４５】
１  映像表示装置
１２  操作部
１２ａ  タッチパネル
１３  ＲＯＭ
１４  ＲＡＭ
１５  制御部
１６  表示部
２  チューナ
【図１】
2008107489.tif 000003
【図２】
2008107489.tif 000004
【図３】
2008107489.tif 000005
【図４】
2008107489.tif 000006